(57)【要約】      （修正有）【課題】ホログラムと卓上型の再生装置を組み合わせた、簡単で画質の良い立体画像が観察できるディスプレイ装置を提供する。【解決手段】卓上タイプのディスプレイ装置において、ブロードな波長分布を持つ白色タイプＬＥＤ２、ミラー３、透過型ホログラム１、遮光体４によって構成されており、底面部分にミラーが配置されて、底面と６０〜７５°をなす傾斜部に透過型ホログラムが支持され、透過型ホログラムの上側にＬＥＤが配置され、ＬＥＤからの光が直接透過型ホログラムに入射しないように遮光体が配置され、ＬＥＤからの光が底面のミラーで反射されてホログラムを照明するように構成する。【選択図】図１
2010262016.tif 000002
【特許請求の範囲】
【請求項１】
透過型ホログラムから立体画像を再生するディスプレイ装置であって、
底面と、前記底面と６０°以上７５°以下の角度をなす傾斜部とを含む筐体を有し、
前記底面上にはミラーが配置され、
前記傾斜部は枠形状からなり、前記枠形状に前記透過型ホログラムが支持されており、
前記枠形状の前記透過型ホログラムが支持されている位置より上方に突起部が設けられ、
前記突起部には、ブロードな波長分布を有する白色ＬＥＤが、その射出光が前記底面上のミラーに向かって前記底面の略垂直方向に入射するように配置され、
前記筐体の、前記白色ＬＥＤから直接透過型ホログラムに入射する光を遮る位置に遮光体が配置され、
前記白色ＬＥＤの射出光が前記ミラーで反射され、前記透過型ホログラムに入射する際に、前記透過型ホログラムの入射面の垂直方向に対して７０°以下の角度で入射する、
ことを特徴とするディスプレイ装置。
【請求項２】
前記ミラーでの反射方向が前記底面の垂直方向に対し３０°以下であることを特徴とする請求項１に記載のディスプレイ装置。
【請求項３】
前記透過型ホログラムは水平方向のみの視差情報が記録された立体像が記録されたホログラムであることを特徴とする請求項１に記載のディスプレイ装置。
【請求項４】
前記ミラーの上にフレネルレンズが配置され、
前記白色ＬＥＤの射出光はフレネルレンズで屈折し、ミラーで反射され、フレネルレンズで屈折して進んだ後ホログラムに、入射することを特徴とする請求項１乃至３の何れかに記載のディスプレイ装置。
【請求項５】
前記ミラーがフレネル凹面ミラーであることを特徴とする請求項１乃至３の何れかに記載のディスプレイ装置。
【請求項６】
前記透過型ホログラムが、表面レリーフ型のホログラムであることを特徴とする請求項１乃至５の何れかに記載のディスプレイ装置。
【請求項７】
請求項１乃至６の何れかに記載のディスプレイ装置の前記透過型ホログラム部分が前記筺体から着脱可能であり、
任意の透過型ホログラムを再生するホログラム再生装置。
【請求項８】
請求項７に記載のホログラム再生装置で再生する前記透過型ホログラムであって、水平方向のみの視差情報が記録された立体像が記録されたことを特徴とする透過型ホログラム。
【請求項９】
請求項７に記載のホログラム再生装置で再生する前記透過型ホログラムであって、表面レリーフ型であることを特徴とする透過型ホログラム。
【発明の詳細な説明】
【技術分野】
【０００１】
本発明は、画像表示に用いるディスプレイ装置に関するものであり、特に、卓上型の簡便な装置で、良好な立体画像を観察できるようにすることを目的としたものであって、このために、ホログラムに記録された立体像を、手軽な方法でボケなく再生できるようにする技術に関するものである。
【背景技術】
【０００２】
従来、自然で良質な立体画像を再生する技術として、白色光再生型のホログラムが用いられている。
その代表的なものとして、エンボスホログラムがある。エンボスホログラムは、例えば、図４のように、表面レリーフ構造の上に蒸着層７をほどこしてあるような構成をしており、通常は反射型のレインボウホログラムとして作成されている。
このようなレインボウタイプのエンボスホログラムは、例えば次のような工程で作成される。
まず、図５のような系により被写体８を乾板９上にフレネルホログラムとして記録する。
次に、図６のような系を用いて、フレネルホログラムを記録した乾板９にスリット１０を設置し、スリット１０を通してフレネルホログラム９から乾板１１に届く物体光１２と、同じレーザーから乾板１１に届く参照光１３によって生じる干渉縞を、乾板１１上に記録する。
この際に、乾板１１の位置に例えばフォトレジストなど光強度を凸凹として記録する感光材料を用いることで、干渉縞を凸凹として記録する。
そして、この干渉縞が記録された乾板１１から電鋳などによって凸凹の型を複製する。
さらに、この電鋳型からエンボス加工などにより、樹脂の上に凸凹を複製した後、凸凹が記録された樹脂の上に蒸着などによって反射層を設けることによりエンボスホログラムが作成される。
１５で照明すると、図７のようにスリット像１６が再生される。このスリット再生像位置の近辺に目１７を観察すると、スリット像が波長によって異なる位置に再生されるため、一つの波長で再生された再生像を観察することができるので、被写体８に対応した良好な立体像１８が観察できる。
【０００３】
ところで、このような、エンボスホログラムを再生して観る場合、実際上は電灯などの光を利用して再生する。ところが、普通の電灯装置は、特に日本では蛍光灯が使われていることもあって、発光部分の大きさがかなり大きい。このため、点光源や平行光でなく、拡散照明光で再生されることになる。
ところが、ホログラムを拡散照明光で照明すると、その大きさに伴って、再生される画像がぼけてしまう。特に、ホログラム面から離れた位置に再生される立体画像でぼけが大きくなるため、従来のホログラムでは、立体感のある良好な画像を得ることが難しかった。
このような問題点に対応するために、照明光源を一体化したディスプレイ装置がいくつか作成されている。
最も、普通の方法は、例えば図８のように、ホログラム１９の前面少し離れたところに電球などの点光源照明２０を設置するものである。この方法であれば、ぼけがなく良好な立体像を得ることはできるが、装置が場所をとり、また見た目にも不恰好である。
そこで、見た目に不恰好でないディスプレイ装置が提案されている。その一つがエッジリットホログラムである。
このホログラムは、例えば、図９のような構成となっており、透明な導光板２２とホログラム２１が一体化され、この導光板のエッジ部分に、電球などの照明光源２３が設置される。
このタイプのディスプレイ装置では、照明光源２３からの光が導光板２２のエッジ部分から入射してホログラム１９を照明するようになっている。この場合光源２３が点光源か平行光源であるため、ボケのない良好な画像を得ることができる。
また装置も、ほとんど一枚の板状の形であるため、壁に設置するにせよ、卓上として使うにせよ、見た目もスマートできれいである。
【０００４】
しかし、この装置で用いるホログラムは、例えば、図１０のように透明なガラス板２４に、感光材料乾板２５を完全に屈折率を合わせた液浸液２６で密着させ、ガラス板２４のエッジ部分からレーザー参照光２７を入射してホログラムを撮影するといったような複雑で安定し難い光学系により作成する必要がある。
このため、ホログラムの作成が非常に難しくなるという問題点がある。
エッジリットホログラムの持つこのような問題点を解決するために、例えば、図１１のように、導光板を使わずにホログラム２８の正面に対して、70〜80°以上くらいの大きな角度から照明光源２９からの光を入射させて再生する装置も、以前に我々が提案している（特許文献１）。
この装置では、エッジリットに比べてホログラムの作成は行い易く、また良好な像も得られ、装置自体もエッジリットほどではないが、比較的見た目にスマートな装置となる。
また、この方法で、用いるホログラムは、撮影時の参照光角度が大きくなる以外は、通常のレインボウホログラムと同様な光学系で作成できるため、エッジリットで用いるホログラムに比べて容易に作成できる。
しかし、この装置で照明に使われる光は、横方向に拡がり、縦方向に関しては狭い光になるため、特殊な光学系を用いないと光の利用効率が悪くなるという問題点があった。
また、かなり厳しい角度で光を入射させるので、照明光の角度が僅かでも狂うとホログラム全面が照明されなくなり、装置の設定がシビアになるため、安価な装置として簡単には作り難いという問題点があった。
【先行技術文献】
【特許文献】
【０００５】
【特許文献１】特開平７−１２９０７０
【発明の概要】
【発明が解決しようとする課題】
【０００６】
上述したように、従来立体画像を表示するディスプレイ装置として、エンボスホログラムを用いた場合には、再生に用いる照明光が電灯などの大きさのある拡散照明装置になるために、像にぼけが生じるという問題点があった。
像のぼけの問題を解決するために、照明光源を一体化した、ディスプレイ装置もあるが、ただ、照明点光源をつけただけのものは、大きさも大きくじゃまになるし、不恰好であるという問題があった。
この点を解決するために、エッジリットホログラムを利用した場合には、用いるホログラムの作成が非常に難しくなるという問題点があった。
また、70〜80°くらいの深い角度からホログラムを照明する方法をとった場合には、光の利用効率が悪い点と、照明光の角度がシビアになり、簡単に作り難いという問題点があった。
本発明は、このような問題点を解決するために、なされたものであり、ホログラムと卓上型の再生装置を組み合わせることで、簡単で画質の良い立体画像が観察できるディスプレイ装置を提供することを目的としている。
【課題を解決するための手段】
【０００７】
このような問題点を解決するために、請求項１の発明では、
透過型ホログラムから立体画像を再生するディスプレイ装置であって、
底面と、前記底面と６０°以上７５°以下の角度をなす傾斜部とを含む筐体を有し、
前記底面上にはミラーが配置され、
前記傾斜部は枠形状からなり、前記枠形状に前記透過型ホログラムが支持されており、
前記枠形状の前記透過型ホログラムが支持されている位置より上方に突起部が設けられ、
前記突起部には、ブロードな波長分布を有する白色ＬＥＤが、その射出光が前記底面上のミラーに向かって前記底面の略垂直方向に入射するように配置され、
前記筐体の、前記白色ＬＥＤから直接透過型ホログラムに入射する光を遮る位置に遮光体が配置され、
前記白色ＬＥＤの射出光が前記ミラーで反射され、前記透過型ホログラムに入射する際に、前記透過型ホログラムの入射面の垂直方向に対して７０°以下の角度で入射する、
ことを特徴とするディスプレイ装置を提案している。
【０００８】
請求項２の発明では、
前記ミラーでの反射方向が前記底面の垂直方向に対し３０°以下であることを特徴とする請求項１に記載のディスプレイ装置を提案している。
【０００９】
請求項３の発明では、
前記透過型ホログラムは水平方向のみの視差情報が記録された立体像が記録されたホログラムであることを特徴とする請求項１に記載のディスプレイ装置を提案している。
【００１０】
請求項４の発明では、
前記ミラーの上にフレネルレンズが配置され、
前記白色ＬＥＤの射出光はフレネルレンズで屈折し、ミラーで反射され、フレネルレンズで屈折して進んだ後ホログラムに、入射することを特徴とする請求項１乃至３の何れかに記載のディスプレイ装置を提案している。
【００１１】
請求項５の発明では、
前記ミラーがフレネル凹面ミラーであることを特徴とする請求項１乃至３の何れかに記載のディスプレイ装置を提案している。
【００１２】
請求項６の発明では、
前記透過型ホログラムが、表面レリーフ型のホログラムであることを特徴とする請求項１乃至５の何れかに記載のディスプレイ装置を提案している。
【００１３】
請求項７の発明では、
請求項１乃至６の何れかに記載のディスプレイ装置の前記透過型ホログラム部分が前記筺体から着脱可能であり、
任意の透過型ホログラムを再生するホログラム再生装置を提案している。
【００１４】
請求項８の発明では、
請求項７に記載のホログラム再生装置で再生する前記透過型ホログラムであって、水平方向のみの視差情報が記録された立体像が記録されたことを特徴とする透過型ホログラムを提案している。
【００１５】
請求項９の発明では、
請求項７に記載のホログラム再生装置で再生する前記透過型ホログラムであって、表面レリーフ型であることを特徴とする透過型ホログラムを提案している。
【発明の効果】
【００１６】
本発明のディスプレイ装置では、立体画像を表示するのに、ホログラムとその照明光源を一体化している。また、照明光源装置に白色ＬＥＤという小さい光源を用い、ミラーで折り返すことである程度の距離を離すようにしているため、ほぼ点光源での再生となり、ぼけの少ない良好な立体画像を得ることができる。
また、底面と傾斜部からなる形状は、壁掛けなどに用いず卓上ディスプレイとして用いるならば、自然な形状であり、装置の見ためとしても不恰好ではない。
また、用いるホログラムも、通常の透過型ホログラムや表面レリーフ型ホログラムであり、エッジリットホログラムなどのような特殊なホログラムを用いる必要がない。
さらに、ホログラムを照明する光の角度も、70°以下で、それほど深い角度になっておらず、さらに、照明光源からホログラムまでの間で光が、反射されるのも一回のみで複雑な経路を通らないため、光の利用効率も比較的良く、それほどシビアに光学系の角度を調整する必要もない。
このため、簡単で画質の良い立体画像が観察できるディスプレイ装置を提供することができる。
【図面の簡単な説明】
【００１７】
【図１】本発明の請求項１のディスプレイ装置の一実施例を示す概要図
【図２】本発明の請求項４のディスプレイ装置の一実施例を示す概要図
【図３】本発明の請求項５のディスプレイ装置の一実施例を示す概要図
【図４】エンボスホログラムの構成の一例を示す概要図
【図５】フレネルホログラム撮影光学系の一例を示す概要図
【図６】レインボウホログラム撮影光学系の一例を示す概要図
【図７】エンボスホログラムの再生系の一例を示す概要図
【図８】従来の、ホログラムと照明光源を一体化した装置の一例を示す概要図
【図９】エッジリットタイプのホログラム再生装置の構成の一例を示す概要図
【図１０】エッジリット用ホログラムの撮影光学系の一例を示す概要図
【図１１】深い角度から照明する、ホログラム再生装置の構成の一例を示す概要図
【図１２】本発明の請求項１のディスプレイ装置の照明光の経路を示す概要図
【図１３】本発明とは異なる、照明経路となるディスプレイ装置の一例を示す概要図
【図１４】本発明とは異なる構成のディスプレイ装置の一例を示す概要図
【図１５】本発明のディスプレイ装置で用いるホログラム撮影光学系の一例を示す概要図
【発明を実施するための形態】
【００１８】
以下、本発明のディスプレイ装置について図面を用いて詳細に説明する。
図１は、本発明の請求項１に記載のディスプレイ装置の一実施例を示す概要図である。この装置は、透過型ホログラム１、照明用光源である白色ＬＥＤ２、平面ミラー３、遮光板４によって構成されている。
ここで用いられているホログラム１は、横方向のみの視差情報を持つ白色光再生型のホログラムで、例えば、表面レリーフ型のレインボウホログラムなどが用いられる。
まず、このディスプレイ装置の再生像について述べる。ここでは例えば、レインボウホログラムの場合について考える。
【００１９】
図１２に示すように、白色ＬＥＤ２から発した光は、平面ミラー３で反射されて、レインボウホログラム１を照明する。この照明光によりレインボウホログラム１から像が再生される。ホログラム１を照明するＬＥＤ２からの光が、直接ホログラム１に入るとノイズになるので、それを防ぐために、遮光体４を設けて、直接の光が入らないようにしている。この際に、レインボウホログラムのスリット像は、波長によって違う位置に再生されることになるが、光源の波長が飛び飛びであると、飛び飛びの位置にスリット像が再生されることになるので観察し辛くなる、このため照明光源は連続的な波長で発光するものが良く、ＬＥＤの場合に、白色でブロードな波長分布を持つものが適している。なお、この場合に波長が連続していれば、その強度は必ずしも揃っている必要はない。
【００２０】
この時の、画像のぼけについて考えると、本発明で用いられるような白色ＬＥＤ２は、例えば、弾丸型のもので直径Φ５ｍｍ程度であり、一方、ホログラム１を照明するまでに光の進む距離は、ミラー３で反射してから届くため、画像一片の長さより長くなる。卓上型ディスプレイの場合に表示される画像の大きさが、例えば、１００ｍｍ程度と考えると、照明光の拡散の大きさは１／２０以下となる。このことから、この場合には、乾板面から２０ｍｍ離れた画像であっても、ぼけ量が１ｍｍ以下の十分に明瞭な画像として再生できるということが分かる。
また、画像がもっと大きい場合には、光源からホログラムまでの距離が長くなるので、拡散が小さくなり、さらに奥行きのある画像に対しても、良好な像を得ることができる。今回、照明光源にＬＥＤを用いているのは、発光部が小さく輝度が高いためである。実際の白色ＬＥＤの発光部分の面積はかなり小さく、ＬＥＤ先端部のレンズを通して見ても発光部は５ｍｍより小さくなっており、画像のぼけは、ここで考えたよりさらに小さい。
これに対して、例えば、豆電球を用いた場合には、十分な輝度を得ようとすると、フィラメント部分の大きさがかなり大きくなってしまうため、画像のぼけがかなり大きくなってしまう。
【００２１】
ところで、画像のぼけという観点から見ると、照明光源からホログラムまでの距離を離すほど、照明光の拡散の大きさが小さくなるので、例えば、図１３の装置のように複数のミラーで反射させるような系が考えられる。図１３の系では白色ＬＥＤ２からの光が、ミラー３０で反射され、さらにミラー３で反射されて、ホログラム１を照明することになる。このため、光の進む距離が長くなり、実際に像のぼけも小さくなる。
しかし、例えばこの系では、ミラー３０の位置や角度がかなり正確である必要があり、ミラーの数が増えるにつれて、位置や角度の設定がシビアになり、装置の精度が必要になってくるため、装置作成が難しくなる。
それで、本発明のディスプレイ装置では、ぼけと装置の簡便さを考慮して、複数のミラーによる反射は行わず一枚のミラーのみを用いた光学系にしている。
【００２２】
次に、ディスプレイ装置の形状について説明する。本発明のディスプレイ装置の全体的な形状は、ホログラムを支持する枠形状の傾斜部と、床面に平行な底面からなり、傾斜部が床面に対して、６０〜７５°の角度をなす形状、すなわち側面からみた形状がＬ字である形状となっている。
普通の卓上型ディスプレイでは、多くの場合に、Λ字の形状かL字の形状となっており、表示面が床面に対して６０〜９０°の傾きとなっているので、全体の形状としては、卓上ディスプレイとして違和感のないものになっている。
また、本発明装置で、ＬＥＤ部分が後ろに飛び出している部分のみは、少し見た目に良くないが、ＬＥＤの大きさが十分に小さく、また後ろ面であるため普通は見えないので、実際上はあまり気にかからないものである。
【００２３】
ところで、ホログラム再生装置をΛ字形状で作成することも可能であり、例えば、図１４のような構成などが考えられる。図１４では、白色ＬＥＤ３２からの光がミラー３３で反射されてホログラム３１を照明する。
この場合には、ホログラム３１が斜め上から照明されるため、普通に斜め上から再生するようなホログラムを用いることができるという利点があり、また照明光が斜め下に進むため、回折されずにホログラム３１を通過する光が問題になりにくいという利点がある。
しかし、この系では、ホログラムの裏側にミラーが設置されるため、ホログラムを通して後ろのものまで見えるようにすることは難しい。立体画像の場合には後ろのものが見えるほうが効果的な場合もあることから、本発明は、ホログラムを通して後ろのものも見ることを可能にしやすい、L字形状を用いている。但し、後ろのものが見えることは、本発明の必修条件ではなく、例えば、装置の後ろに黒い板を設置したようなものも含まれる。
【００２４】
本発明のディスプレイ装置の場合には、ホログラムを照明する光のうち、回折されないで通過する光は、上方向にでていくことになり、これらの光が目に入ると、眩しく不快に感じるため、なるべく目に入らないようにする必要がある。
普通、卓上のディスプレイは斜め上方向から観察するもので、真上から観察するということはないので、なるべく真上に近い方向に近い方向に射出すれば、目に入らなくなる。普通に、机などの上に設置した場合には、真上方向から３０°以内くらいの方向であれば、ほとんど目に入ることはないので、本発明では、真上方向から３０°以内の方向に照明光が射出されるように設定している。
【００２５】
次に、本発明で用いるホログラムについて説明する。本発明の装置では、例えば、表面レリーフ型のレインボウホログラムなどを用いることができる。
このような表面レリーフ型のレインボウホログラムは、例えば、従来エンボスホログラムと同様な工程で作成される。ただし、背景技術で説明したエンボスホログラム工程とのちがいとして、下方向からの照明で再生されるようにするために、レインボウホログラム撮影での参照光３４の方向が例えば図１５のように、図６と異なる方向になっている。また、エンボス複製までの工程で終わり、蒸着工程は行わない。
このように、この装置で用いるホログラムは、通常のホログラム作成工程で作成できるものであり、エッジリットなどのような特殊な作成工程は必要としない。
【００２６】
次に、本発明のディスプレイ装置での、光の利用効率や、各部分の設置精度などについて説明する。
まず、利用効率について見る。この装置などのように、ホログラムに対して斜め下方向から光を入射する場合には、照明に用いる光の形状は横長の形状となる。このときの縦と横の比率は、ホログラムの正面方向と入射光のなす角度をθとしたときにcosθに対応する。
ＬＥＤの光の広がり方は等方的であり、この縦と横の比率が１から大きく離れないほうが光のロスが小さくなるので、あまり角度θは大きくなりすぎないようにしたほうが良い。角度が70°で、３：１程度になるので、悪くてもこれ以下、できれば、２：１以下に抑えられる角度60°以下になるようにしておくほうが良い。
【００２７】
位置精度について見る。この装置で、ミラー３で反射した後にホログラム１に入射する照明光の位置は、ホログラム０の正面方向と、入射光とのなす角度をθとしたときにtanθに比例して変わってくる。このため、角度が大きくなるとわずかな角度の違いで、照明位置が大きく変わるので、ミラーなどの角度を正確に合わせることが必要になる。
このため、位置精度の面からもホログラムに入射する光の角度が大きくなりすぎないほうがよく、悪くとも70°以下、できれば60°以下程度になるようにしておくほうが良い。
【００２８】
図２は、本発明の請求項４に記載のディスプレイ装置の一実施例を示す概要図である。この装置は、透過型ホログラム１、照明用光源である白色ＬＥＤ２、平面ミラー３、遮光板４、フレネルレンズ５によって構成されている。
本発明のホログラム１などで用いている、レインボウホログラムの作成においては、撮影時の参照光として、普通は平行光か、発散光が用いられる。このような光で作成したホログラムを再生する場合には、本来は、平行光や収束光で再生する必要がある。
このようなホログラムを発散光で再生した場合には、ホログラム面から離れた位置に再生される像が若干ゆがんでしまうため、図１などのような請求項１に記載のディスプレイ装置で、普通に作成したレインボウホログラムなどを再生すると、画像が若干ゆがんでしまう。
図２のような装置では、白色ＬＥＤ２からの光が、フレネルレンズ５によって、平行光または収束光として、ホログラム１を照明するようになっているので、ひずみの無い像を再生することができる。
【００２９】
図３は、本発明の請求項５に記載のディスプレイ装置の一実施例を示す概要図である。この装置は、透過型ホログラム１、照明用光源である白色ＬＥＤ２、フレネル凹面ミラー６、遮光板４によって構成されている。
このような装置では、白色ＬＥＤ２からの光が、フレネル凹面ミラー６によって、平行光または収束光として、ホログラム１を照明するようになっているので、ひずみの無い像を再生することができる。
【００３０】
本発明の請求項６では、ホログラムとして表面レリーフ型のものを用いることを提案している。表面レリーフ型ホログラムは、エンボスなどにより簡単に複製できるため、ホログラム作成が容易になる。
【００３１】
本発明の請求項７乃至９では、ホログラムと再生装置部分を分離できるものを提案している。特にエンボスホログラムを用いた場合など、ホログラム部分は再生装置に比べて、かなり安価に作成できるので、１つの再生装置で、ホログラムを取替えながら利用すれば、安価に色々な画像を楽しむことが可能になる。
【実施例１】
【００３２】
本発明の請求項１のディスプレイ装置として、図１のような構成の装置を作成した。
今回、ホログラムとしては、斜め下６０°から照明したときに、正面近くに像が再生されるようなレインボウホログラムからエンボス工程で作成した表面レリーフホログラムを用いた、なお、ホログラムの大きさは１００ｍｍ角であり、最大で３０ｍｍ程度の奥行きのある立体像が記録されている。
ディスプレイ装置でホログラムを設置する面は、床面に対して約７０°の角度となるようにして、上下方向の長さは、約１５０ｍｍに設定した。
この面の上側の後ろ約１０ｍｍの位置に、白色ＬＥＤを設置した。用いた白色ＬＥＤは、Φ５ｍｍの砲弾型のもので、青色発光と蛍光材料を組合せたものである。このＬＥＤは、３．２V設定で、約２０°の半値角の光の拡がりを持ち、最大１０ｃｄ程度の明るさが得られるものである。
ミラーは平面ミラーを用いており、床面に平行に設置して用いた。また、床面とＬＥＤとの距離は、約１１０ｍｍであった。
このようにして作成した装置で、白色ＬＥＤに乾電池２個の約３Ｖの電流を流して発光させて、再生像を観察した。
その結果、３０ｍｍ程度の奥行きのある画像も、十分に明瞭な立体画像として、観察できた。
【産業上の利用可能性】
【００３３】
本発明の技術を用いることで、簡単で画質の良い立体画像が観察できるディスプレイ装置を提供することができるので、卓上カレンダーや、玩具類などの卓上ディスプレイの分野で、立体像を表示するために利用されていく可能性がある。
【符号の説明】
【００３４】
１…ホログラム
２…白色ＬＥＤ
３…平面ミラー
４…遮光体
５…フレネルレンズ
６…フレネル凹面鏡
７…反射層
８…被写体
９…乾板
１０…スリット
１１…乾板
１２…物体光
１３…参照光
１４…エンボスホログラム
１５…照明光
１６…スリット像
１７…目
１８…立体像
１９…ホログラム
２０…照明光源
２１…ホログラム
２２…導光板
２３…照明光源
２４…透明ガラス
２５…乾板
２６…液浸液
２７…参照光
２８…ホログラム
２９…照明光源
３０…平面ミラー
３１…透過型ホログラム
３２…白色ＬＥＤ
３３…平面ミラー
３４…参照光
【図１】
2010262016.tif 000003
【図２】
2010262016.tif 000004
【図３】
2010262016.tif 000005
【図４】
2010262016.tif 000006
【図５】
2010262016.tif 000007
【図６】
2010262016.tif 000008
【図７】
2010262016.tif 000009
【図８】
2010262016.tif 000010
【図９】
2010262016.tif 000011
【図１０】
2010262016.tif 000012
【図１１】
2010262016.tif 000013
【図１２】
2010262016.tif 000014
【図１３】
2010262016.tif 000015
【図１４】
2010262016.tif 000016
【図１５】
2010262016.tif 000017